(57)【要約】  【課題】  電子カードに、第１時点から第２時点までの間に為されたいかなる修正も簡単で確実に決定する手順を提供する。  【解決手段】  本発明によれば、第１時点における、電子構成要素(ＣＥ１、ＣＥ２、ＣＥ３)と、ポート(入り口)(Ｐ１、Ｐ２)と、供給要素(Ａ１)と連結手段(Ｌ１からＬ７)からなる構成要素を含む電子カードを示す第１ダイアグラム(Ｓ１)を決定し、第２時点における電子カードを示す第２ダイアグラムを決定し、変更に関する類を、上記のダイアグラム中の各実体に付し、類を表す視覚的同一属性を各実体と関連させ、その視覚的同一属性を表示して、第１および第２ダイアグラムに対応する２つの映像を構成し、その映像を比較して、第１時点と第２時点との間で電子カードに為された変更を取り除く。【選択図】    図１
2005135391.tif 000002
【特許請求の範囲】
【請求項１】
第１時点と第２あるいはその後の時点との間で、電子構成要素(ＣＥ１、ＣＥ２、ＣＥ３)と、ポート(入り口)(Ｐ１、Ｐ２)と、供給要素(Ａ１、Ａ２)と連結手段(Ｌ１からＬ８)からなる構成要素を有する電子カードに為された修正を決定する手順であって、
(a) 上記の第１時点での電子カードを示す第１ダイアグラム(Ｓ１)を決定し、この第１ダイアグラムは、第１時点での上記電子カードの上記構成要素を表す一組の実体からなり、第１表の形態で提供され、
(b) 上記の第２時点での電子カードを示す第２ダイアグラムを決定し、この第２ダイアグラムは、第２時点での上記電子カードの上記の構成要素を表す一組の実体からなり、第２表の形態で提供され、
(c) 変更に関する類を上記の第１および第２ダイアグラムの各実体に付し、
(d) 視覚的同一属性を、第１および第２ダイアグラムの各実体と関連させ、この視覚的同一属性は各実体の類を表し、
(e) 上記の第１および第２ダイアグラムの各々に対応する第１映像(Ｉ１)および第２映像(Ｉ２)を構成し、これらの映像では、各種の実体が、それと関連する視覚的同一属性が表示される毎に表され、
(f) 第１の映像と第２の映像(Ｉ１、Ｉ２)を比較し、該当する場合、上記の第１時点と上記の第２時点との間で上記の電子カードに為された修正を第２の映像から取り除くことからなるもの。
【請求項２】
請求項１の手順であって、工程(c)で、以下の５つの類、即ち
非変更実体類
修正された実体類
移動した実体類
追加された実体類
削除された実体類。
の１つを各実体に付するもの。
【請求項３】
請求項２の手順であって、工程(c)において、上記の第１および第２ダイアグラムを表す上記の表１と表２における各実体に類を付する為、
(c1) 上記の表１における各実体は、
この実体が上記の表２になければ、それは削除されたものであり、上記の削除された実体の類をこれに付し、
そうでなければ、上記の実体の特性が表１と表２との間で異なる場合、それは修正されており、上記の修正された実体の類をこれに付し、
上記の実体の組み合わせが表１と表２とにおいて異なっておれば、それは移動しているので、移動した実体の類をそれに付すものとし、
(c2) 上記の第２表における各実体は
この実体が表１になければ、それは加えられたものなので、追加された実体の類をこれに付し、
(c3) 変更も、移動も、追加も、削除もされていない実体は、変更が無いと考えられ、変更されていない実体の類をこれに付すもの。
【請求項４】
請求項３の手順であって、工程(c2)で上記の表２における各実体が考慮されて、第１表に存在するか否か調べること。
【請求項５】
請求項３の手順であって、工程(c1)で上記の表１に存在する各実体と上記の表２中の表示手段(以下インディケータと言う)と関連させ、工程(c2)でそのインディケータと関連しない各実体を上記の表２中で探し、探した実体に追加された実体の類を付すこと。
【請求項６】
請求項１の手順であって、工程(c)で、類の表を各類毎に形成し、類が実体に徐々に付されていくに従い、その類に対応する類の表中の各実体を書き記すこと。  
【請求項７】
請求項１の手順であって、工程(c)で、類に対応する追加の欄が表１と表２との各々に加えられ、類が徐々に実体に付されるに従い、各実体に対する類の名前を、上記の表中のこの実体に対応する列の追加の欄に示すこと。
【請求項８】
請求項１の手順であって、各視覚的同一属性を特定の色に対応させること。
【請求項９】
請求項１の手順であって、工程(e)で、上記の第１映像を、変更されない実体、変更された実体、移動した実体、および削除された実体の類を含むように構成し、上記の第２映像を、変更されない実体、修正された実体、移動された実体および追加された類を含むように構成すること。
【請求項１０】
請求項１の手順であって、工程(e)で、上記の第１映像と第２映像(Ｉ１、Ｉ２)とをコンピュータを使う描写器具を用いて構成すること。
【請求項１１】
請求項１の手順であって、工程(e)では、第１(Ｉ１)と第２の映像(Ｉ２)の全てに変更されていない実体の類が付されている場合、特別な視覚表示を上記の第１(Ｉ１)と第２の映像(Ｉ２)に加えること。
【請求項１２】
請求項１の手順であって、変更されていない実体の類以外の類の全ての実体を含む要約表を形成すること。
【請求項１３】
請求項１２の手順であって、上記の要約表を表す第３の映像を構成すること。
【請求項１４】
請求項１の手順であって、決定された修正を表す１つ以上のファイルを形成し、このファイルを、コンピュータを使う描写器具が用いてもよいこと。
【請求項１５】
電子構成要素(ＣＥ１、ＣＥ２、ＣＥ３)と、ポート(入り口)(Ｐ１、Ｐ２)と、供給要素(Ａ１、Ａ２)と連結手段(Ｌ１からｌ８)からなる構成要素を備えた１枚以上の電子カードを作製する方法であって、この第１方法(ＭＦ１)では、
(Ａ) 上記の電子カードを示し、上記の構成要素を表す一組の実体からなるダイアグラム(Ｓ１)を形成し、
(Ｂ) 上記のダイアグラムに従ってカードを形成するため構成要素を配置し、トラックを電気回路に創り、
(Ｃ) このカードの操作をシミュレートし、
(Ｄ) このカードを作製するファイルを創り、
(Ｅ) 上記の作製ファイルを用いて試作カードを作製し、
(Ｆ) 上記の試作カードの一回以上の妥当性検査を行い、
(Ｇ) 上記の試作カードに従って１つ以上の電子カードを作製するものにおいて、
１つ以上の修正を上記電子カードに為す場合、
(α) この修正を決定するため、請求項１に記載の手順を行い、
(β) 上記の電子カードのうち上記の修正に関わる部分のみに試験を行いながら、工程ＢからＦを実施するもの。
【請求項１６】
電子構成要素(ＣＥ１、ＣＥ２、ＣＥ３)と、ポート(入り口)(Ｐ１、Ｐ２)と、供給要素(Ａ１、Ａ２)と連結手段(Ｌ１からＬ８)からなる構成要素備えた電子カード。
【請求項１７】
電子構成要素(ＣＥ１、ＣＥ２、ＣＥ３)と、ポート(入り口)(Ｐ１、Ｐ２)と、供給要素(Ａ１、Ａ２)と連結手段(Ｌ１からＬ８)からなる構成要素備えた１枚以上の電子カードを備えた装置の１つ以上のアイテムを作製する方法であって、この方法(ＭＦ２)では、
(01) １つ以上の電子カードを作製し、
(02) こうして作製された各電子カードを、装置の基礎アイテムに統合して装置の試作アイテムを作製し、
(03) １回以上の試験をこの装置の試作アイテムに行い、
(04) この試験に基づき上記の装置の試作アイテムの妥当性を検査し、
(05) 上記の装置の試作アイテムに従い１つ以上の装置のアイテムを製造するもの。
【請求項１８】
電子構成要素(ＣＥ１、ＣＥ２、ＣＥ３)と、ポート(入り口)(Ｐ１、Ｐ２)と、供給要素(Ａ１、Ａ２)と連結手段(Ｌ１からＬ８)からなる構成要素を有する１枚以上の電子カードを備えた装置のアイテムであって、請求項１７に記載の作製方法(ＭＦ２)により作製されるもの。
【発明の詳細な説明】
【技術分野】
【０００１】
本発明は、電子カードになされた修正を決定するための手順と、そのような電子カードおよびそのような電子カードを備えた装置のアイテムを作製する方法であって、上記の手順を用いるものに関する。
【背景技術】
【０００２】
電子カードが、電子構成要素、ポート(入り口)、供給要素および連結手段のような構成要素を含むことは知られている。
【０００３】
家庭用および工業用の両方の装置のアイテムの多くは、この種の電子カードを１つ以上備える。そのような装置のアイテムは、一般に、既知で特定の工業サイクル中に作製される。この工業サイクル中装置のアイテムの一つ以上の電子カードのダイアグラムに修正が為されなければならない場合が頻繁にある。これらの修正は工業サイクルの幾つかの工程、特に、試作カードの試験後、装置のアイテムへの統合中、装置の試作アイテムの試験後、あるいは大量生産段階における装置のアイテムへの変更中などに施される。
【発明の開示】
【発明が解決しようとする課題】
【０００４】
修正を電子カードに為さなければならない場合は、電子カードを図示するダイアグラムを得る最初の工程から始まって、工業用データないし定義あるいは資格判定要素を再生する必要がある。電子カードおよびそのような電子カードを１つ以上含む装置のアイテムの徹底的な試験は、長くて複雑な操作なので、電子カードの１つ以上の修正後の試験は、一般に、そのカードの修正された部分にしか関係しない。加えて、前回の試験以来からこのカードになされた修正を正確に決定する方法を知る必要がある。
【０００５】
電子カードに為された修正を決定する１つの解決策は、主に、操作者がダイアグラムをCADソフトウェアにより修正する際、その修正を手で書いておくことである。然し、この解決策は、特に、その操作者の書き忘れによるところの重大な危険があるという欠点がある。
【０００６】
もう１つの解決策は、新しいダイアグラムが完成した際古いものと目で比べ、操作者が見える相違点を書き記すことである。これでもまた、特にダイアグラムが複雑であれば、見間違いとか書き忘れと言う重大な危険がある。
【０００７】
本発明の目的は、これらの欠点を補うことであり、上記のタイプの電子カードに、第１時点から第２時点までの間に為されたいかなる修正も簡単で確実に決定する手順に関する。
【課題を解決するための手段】
【０００８】
このため、請求項１に記載の本発明によれば、この手順は以下の特徴を有する。
(a) 上記の第１時点での電子カードを示す第１ダイアグラムを決定し、この第１ダイアグラムは、第１時点での上記電子カードの以下に述べる構成要素を表す一組の実体からなり、表１の形態で提供され、
(b) 上記の第２時点での電子カードを示す第２ダイアグラムを決定し、この第２ダイアグラムは、第２時点での上記電子カードの上記の構成要素を表す一組の実体からなり、表２の形態で提供され、
(c) 変更に関する類を上記の第１および第２ダイアグラムの各実体に付し、
(d) 視覚的同一属性を、第１および第２ダイアグラムの各実体と関連させ、この視覚的同一属性が各実体の類を表し、
(e) 上記の第１および第２ダイアグラム各々に対応する第１および第２映像を構成し、この映像では、各種の実体が、それと関連する視覚的同一属性が表示される毎に表され、
(f) 第１の映像と第２の映像を比較し、該当する場合、上記の第１時点と上記の第２時点との間で上記の電子カードに為された修正を第２の映像から取り除くことからなるもの。
【０００９】
上述の工程c)では、以下に示す５つの類の１つを各実体に付することが好ましい。
非変更実体類
修正された実体類
移動した実体類
追加された実体類
削除された実体類。
【００１０】
好ましい実施例では、前記の工程(c)において、上記の第１および第２ダイアグラムを表す上記の表１と表２における各実体に類を付する為、
(c1) 上記の表１における各実体は以下のように考えられる。
この実体が上記の表２になければ、それは削除されたものであり、上記の削除された実体の類をこれに付す。
そうでなければ、上記の実体の特性が表１と表２との間で異なる場合は、それは修正されており、上記の修正された実体の類がこれに付される。
上記の実体の組み合わせが表１と表２とにおいて異なっておれば、それは移動しているので、移動した実体の類がそれに付される。
(c2) 上記の表２における各実体は以下のように考えられる。
この実体が表１になければ、それは加えられたものなので、追加された実体の類がこれに付される。
(c3) 変更も、移動も、追加も、削除もされていない実体は、変更が無いと考えられ、変更されていない実体の類がこれに付される。
【００１１】
第１変形例では、上記工程(c2)で上記の第２表における各実体が考慮されて、表１に存在するか否か調べる。
【００１２】
第２変形例では、上記工程(c1)で上記の表１に存在する各実体と上記の表２中の表示手段(以下インディケータと言う)と関連させ、工程(c2)でそのインディケータと関連しない各実体を上記の表２中で探し、探した実体に追加された実体の類を付す。
【００１３】
更に、第１実施例では、前記工程(c)で、類の表を各類毎に形成し、類が実体に徐々に付されていくに従い、その類に対応する類の表中の各実体を書き記す。
【００１４】
第２実施例では、前記工程(c)で、類に対応する追加の欄が表１と表２との各々に加えられ、類が徐々に実体に付されるに従い、各実体に対する類の名前を、上記の(第１および第２)表中のこの実体に対応する列の追加の欄に示す。
【００１５】
各視覚的同一属性を特定の色に対応させるのが好ましい。
【００１６】
更に、好ましくは、  
上記工程e)で、上記の第1映像を、変更されない実体、変更された実体、移動した実体、および削除された実体の類を含むように構成し、上記の第２映像を、変更されない実体、修正された実体、移動された実体および追加された類を含むように構成する。
【００１７】
上記工程(e)で、上記の第１映像と第２映像とをコンピュータを使う描写器具を用いて構成する。
【００１８】
上記工程(e)では、第１と第２の映像の全てに変更されていない実体の類が付されている場合、特別な視覚表示が上記の第１と第２の映像に加えられる。
【００１９】
変更されていない実体の類以外の類の全ての実体を含む要約表を形成する。この場合、この要約表を表す第３の映像を構成することが好ましい。
【００２０】
決定された修正を表す１つ以上のファイルを形成する。このファイルを、コンピュータを使う描写器具が用いてもよい。
【００２１】
本発明は、また、１つ以上の電子カードを作製する第１の方法に関し、上記の電子カードは電子構成要素、ポート、供給要素および連結手段からなる構成要素を含む。
上記の第１方法では、
(Ａ) 上記の電子カードを示し、上記の構成要素を表す一組の実体からなるダイアグラムを形成し、
(Ｂ) 上記のダイアグラムに従ってカードを形成するため構成要素を配置し、トラックを電気回路に創り、
(Ｃ) このカードの操作をシミュレートし、
(Ｄ) このカードを作製するファイルを創り、
(Ｅ) 上記の作製ファイルを用いて試作カードを作製し、
(Ｆ) 上記の試作カードの一回以上の妥当性検査を行い、
(Ｇ) 上記の試作カードに従って１つ以上の電子カードを作製するものにおいて、本発明によれば、以下の特徴を有する。
１つ以上の修正を上記電子カードに為す場合、
(α) この修正を決定するため、上記の手順を行い、
(β) 上記の電子カードのうち上記の変更に関わる部分のみに試験を行いながら、工程ＢからＦを実施する。
【００２２】
本発明は、また、電子構成要素、ポート、供給手段および連結手段のような構成要素を含む１つ以上の電子カードを備えた装置の１つ以上のアイテムを作製する第２の方法に関する。この方法では、
(01) １つ以上の電子カードを作製し、
(02) こうして作製された各電子カードを、装置の基礎アイテムに統合して装置の試作アイテムを作製し、
(03) １回以上の試験をこの装置の試作アイテムに行い、
(04) この試験に基づき上記の装置の試作アイテムの妥当性を検査し、
(05) 上記の装置の試作アイテムに従い１つ以上の装置のアイテムを製造する。
【００２３】
本発明によれば、上記の第２の方法は、工程(01)において、１つ以上の電子カードを作製するため上記の第１の方法が実施される。
更に、本発明は、上記の第１の方法と第２の方法とを用いて、各々、作製される電子カードと装置のアイテムとに関する。
【発明の効果】
【００２４】
請求項１に記載した本発明によれば、上記の第１映像と第２映像とを比較することにより、電子カードに為されたいかなる修正も視覚的にその内容を明らかにすることが簡単に出来るので、第１時点と第２時点との間に為された全ての修正を簡単且つ確実に決定することが出来る。
【発明を実施するための最良の形態】
【００２５】
添付図面の各図により、本発明がどのように実施され得るかが明確に理解できる。これらの図において、同一符号は同一要素を示す。
図１は、電子カードを図示するダイアグラムを示す。
図２は、本発明による手順の連続する工程を示す。
図３と図４とは、本発明により得られた２つの映像であって、２つの異なる時点での電子カードを示す。
図５は、本発明により電子カードを作製する方法の連続工程を示す。
図６は、本発明により電子カードを備えた装置のアイテムを作製する方法の連続工程を示す。
【００２６】
本発明の要旨は、特に、作製中電子カードになされる修正を決定する手順である。そのような電子カードは、通常、支持体の役目をなす板を備え、プリント回路からなり、このプリント回路に構成要素がハンダ付けされる。
【００２７】
一般に、電子カードは、構成要素として、能動的あるいは受動的電子構成要素、ポート、供給要素(アース、電圧等)、連結手段とを備える。
電子構成要素は、外側からの電力供給を必要としない場合は、受動的であり(抵抗器、キャパシタ等)で、それを必要とする場合は、能動的である(電子管、トランジスタ、集積回路等)。
【００２８】
そのような電子カードが図１に示されているようにダイアグラム(Ｓ１)によって通常の方法で示すことができる。そのダイアグラムは、１枚あるいは数枚のシートから構成されており、各シートは上記の構成要素を表す一組の実体(Ｅ１からＥ１６)とを備える。構成要素とは、電子構成要素（ＣＥ１、ＣＥ２、ＣＥ３）、２つの連結手段を連結するためのポート(Ｐ１、Ｐ２)、連結手段(Ｌ１からＬ７)である。各連結手段(Ｌ１からＬ７)は、１つ以上の真っ直ぐなセグメントあるいはリンクを含む。よって、連結手段(Ｌ１、Ｌ２、Ｌ５、Ｌ６およびＬ７)は単一の真っ直ぐなリンクのみからなるのに対し、連結手段(Ｌ３)は、３つの真っ直ぐなリンク(Ｌ３a、Ｌ３bおよびＬ３c)からなり、連結手段(Ｌ４)は、２つの真っ直ぐなリンク(Ｌ４aおよびＬ４b)とからなる。そして、供給要素(Ａ１)である。
【００２９】
加えて、上記の実体(Ｅ１からＥ１６)の各々は、ダイアグラム(Ｓ１)におけるその組み合わせを特徴とする。すなわち
１本のリンクからなる連結手段の場合は、２つの端部点の組み合わせ、そして
連結手段以外の実体に対しては基準点の組み合わせ。
【００３０】
電子カードのダイアグラムは図１のダイアグラム(Ｓ１)の場合は以下に示すような表の形態で表される。
【００３１】
2005135391.tif 000003
【００３２】
本発明によれば、第１時点(Ｍ１)と(第１時点後の)第２時点(Ｍ２)との間で電子カードに為される修正を決定するため、図２に示されている(１a)から(１f)の連続工程からなる手順を行う。すなわち
工程(１a)  上記の第１時点(Ｍ１)での上記電子カードを図示する第１ダイアグラムを決定する。この第１ダイアグラムは上記の第１時点での上記の構成要素を表す一組の実体(Ｅ１からＥ１６)からなり、以下に説明されている第１表の形態で提供されている。
工程(１b)  上記の第２時点(Ｍ２)での上記電子カードを図示する第２ダイアグラムを決定する。この第２ダイアグラムは上記の第２時点での上記の構成要素を表す一組の実体(Ｅ１からＥ５)と(Ｅ７からＥ１８)からなり、以下に説明されている第２表の形態で提供されている。
【００３３】
【表１】
2005135391.tif 000004
【００３４】
【表２】
2005135391.tif 000005
【００３５】
工程(１c)  表１と表２とにおける各実体に対する変化と関係する類を付する。
工程(１d)  表１と表２とにおける各実体に視覚的同一属性を関係付けるものであって、この視覚的同一属性はこの実体の類を表す。
工程(１e)  各々図３と図４に示され、第１ダイアグラムと第２ダイアグラムに対応する第１映像(Ｉ１)と第２映像(Ｉ２)を構成するであって、ここでは、関係づけられた視覚的同一属性が表示される毎に各種の実体が示される。
工程(１f)  上記の第１映像(Ｉ１)と第２映像(Ｉ２)とを目で比べて、該当する場合、第１時点(Ｍ１)と第２時点(Ｍ２)との間で電子カードに為された修正を削除する。
【００３６】
第１実施例では、上記の表１と表２とに特記されているように、工程(１c)で類に対応する追加の欄が表１と表２とに加えられている。類が実体(Ｅ１)から実体(Ｅ１８)までに付されていくにつれて、類の名前が各実体に対し、上記の表１あるいは表２におけるこの実体に対応する列の追加の欄に表示される。
【００３７】
より正確に言うと、以下の５つの類の１つが実体(Ｅ１)から実体(Ｅ１８)に付される。
変化されていない実体の類(Ｉ)
修正された実体の類(Ｍ)
追加された実体の類(Ａ)
削除された実体の類(Ｓ)。
【００３８】
第２実施例では、工程(１c)で、類の表が各類(Ｉ)、(Ｍ)、(Ｄ)、(Ａ) および(Ｓ)毎に形成され、類が各実体(Ｅ１)から実体(Ｅ１８)までに付されるにつれて、その類に対応する類の表中の各実体が書き記される。
【００３９】
本発明によれば、上記の第１および第２ダイアグラムを表す上記の表１と表２中の各実体(Ｅ１)から(Ｅ１８)に類を付する工程(１c)では、
(c1)  表１の各実体は次のように考えられる。
この実体が、たとえば、実体(Ｅ６)のように上記の表２になければ、削除されており、上記の削除された実体の類(Ｓ)がそれに付される。
そうでなければ、
上記の実体の特性が、例えば、実体(Ｅ１)の場合のように、表１と表２とで異なっておれば、修正されているので、修正された実体の類(Ｍ)がそれに付され、
上記の実体の組み合わせが、例えば、実体(Ｅ１５)と実体(Ｅ１６)との場合のように表１と表２とで異なっていれば、移動されているので、上記の移動された実体の類(Ｄ)が付され、
(c2)  ついで、表２の各実体を考慮すると、
例えば、実体(Ｅ１７)と実体(Ｅ１８)のように、この実体が表１中になければ、加えられているので、加えられた実体の類(Ａ)がそれに付され、
(c3)  修正も、移動も、追加も、削除もされていない実体は、例えば、実体(Ｅ２)と(Ｅ３)のようにいずれも変化していないと考えられ、上記の変化していない類(Ｉ)が付される。
【００４０】
追加された実体の類(Ａ)に関しては、
第１変形例では、工程(c2)で、上記の表２の各実体が考慮され、表１に存在するかどうかチェックし、
第２変形例では、工程(c1)で、上記の表１に存在する各実体と、表２中にこの存在をしめすインディケータとを関連づけ、工程(c2)で、そのようなインディケータと関連づけられていない各実体を表２中で探し、追加の実体の類(Ａ)を各々に付する。
【００４１】
好ましい実施例では、各実体(Ｅ１)から実体(Ｅ１８)と関連づけらる視覚的同一属性が、対応する映像(Ｉ２)と映像(Ｉ１)で示される色に対応している。例えば、変化していない実体は黒で、修正された実体は青で、移動した実体は黄色で、削除された実体は赤で、そして追加された実体は緑と言った具合である。
【００４２】
上記の第１映像(Ｉ１)と第２映像(Ｉ２)とは、当該ダイアグラムを入力するのに使用されるCADソフトウェア・プログラムによって構成するのが好ましい。このCADは、一般に、製図する物体を描写するデータを創り、このデータを操作して完全な製図形を完成し、この物体を作製するのに必要な情報を作成するのに役立つ全てのコンピュータ技術を備える。このため、工程(1d)では、これらのダイアグラムに対応するファイルを修正して各実体が属する類により、それに色を付す。工程(1e)では、こうして修正されたファイルを、次いで、(上記のCAD手段により)、組み合わせられた適当な表示手段上に表示する。これらのダイアグラムに対応するファイルを損なわないで置く為、これらの修正をこれらのファイルのコピーになすのが好ましい。
【００４３】
好ましい実施例において、表１と表２中の全ての実体が変化していない実体の類(Ｉ)である場合、工程(１e)で、視覚的表示をこれらの映像(Ｉ１)と映像(Ｉ２)とに加えて、２つの比較された映像は同一であることを表示する。例えば、“変化なし”のラベルを各映像(Ｉ１)と(Ｉ２)の背景に大文字で表示してもよい。
【００４４】
ある特定の実施例では、変化なしの実体の類(Ｉ)以外の類(Ｍ)、(Ｄ)、(Ａ)、(Ｓ)の全てを含む要約表を形成する。この場合、上記の要約表に対応する第３の映像(図示略)を構成する。
【００４５】
よって、本発明は、電子カードになされた修正が、映像(Ｉ１)と映像(Ｉ２)とを目で比較することによって、容易に視覚で判別できるという長所を有する。図３と図４では、なされた修正は、図面を簡単にするため太い破線で表示されているが、実際は、上記のように、一組の各種の色によって表示するのが好ましい。
【００４６】
加えて、電子カードに為された修正を表す１つ以上のファイルを構成する。これらのファイルは、以下に説明する工業製造サイクル(方法)の工程中CAD器具により用いられて、上記の修正の後行なわなければならない試験を決定する。
【００４７】
工程(１c)から工程(１e)までを１つの工程(２)にまとめても良く、この工程は、特にそのために創られた適当なソフトウェアによって自動的に行われる。
【００４８】
本発明による上記の手順は、１枚のシートのダイアグラムの場合について記載したが、勿論数枚のシートからなるダイアグラムの各シートにも同じように当てはまる。この場合、上記のシートは一般に全てのシートのダイアグラムと関連させてもよい。
【００４９】
本発明による手順は、おなじダイアグラムの連続版(例えば、Ｎ版とＮ＋１版)に対応する、電子カードの２つのダイアグラムを比較するのに使うことができるが、このような使用に限られるもではなく、この手順は、また、同じダイアグラムの非連続版(例えば、Ｎ版とＮ＋ｋ版で、そのうちｋ＞１)に対応するダイアグラムを比較するのにも使うことができる。
【００５０】
本発明は、また、上記のタイプの１つ以上の電子カードを作製する方法(ＭＦ１)に関係する。この方法(ＭＦ１)は図５に示されている工程(Ａ)から工程(Ｇ)でなり、以下のようになされる。
(Ａ)  上記の電子カードを示し、この電子カードの構成要素を表す一組の実体(Ｅ１)から実体(Ｅ１６)からなるダイアグラムを形成し、
(Ｂ)  上記のダイアグラムに従って、構成要素を位置決めし、電気回路にトラックを創って第１のカードを形成し、
(Ｃ)  上記の第１のカードの操作をシミュレートし、
(Ｄ)  上記の第１のカードを作製するファイルを創り、
(Ｅ)  この作製用ファイルを用いて、試作カード、即ち、工業用スケールで構成され、大量生産を目的としての試験用の第1例を作製し、
(Ｆ)  上記の試作カードの妥当性を検査するための１回以上の試験をおこない、
(Ｇ)  この試作カードに従って１枚以上の電子カードを製造する。一般に、この製造ラインは、勿論、大量製造ラインである。
【００５１】
本発明によれば、電子カードを作製中１つ以上の修正がその電子カードに為される場合、
(α)  この修正を決定するため上記の手順(工程１aから１f)を行う、
(β)  上記の電子カードのうち、このようにして決定された修正に関係する部分のみについて試験をいながら工程Ｂから工程Ｆを行う。
【００５２】
本発明は、また、上記のタイプの１枚以上の電子カードを備えた装置の１つ以上のアイテムを作製する方法(ＭＦ２)に関する。この方法(ＭＦ２)は工程(01)から工程(05)まででなり、以下のようになされる。
(01)  上記の方法(ＭＦ１)を用いて１枚以上の電子カードを作製し、
(02)  こうして作製された各電子カードを装置の基礎アイテムに集積して装置の試作アイテムを製造し、
(03)  上記の装置の試作アイテムに１回以上の試験を行い、
(04)  上記の試験に基づき装置の試作アイテムの妥当性を検査し、
(05)  上記の装置の試作アイテムに従い装置のアイテムを大量生産する。
【図面の簡単な説明】
【００５３】
【図１】電子カードを図示するダイアグラムを示す。
【図２】本発明による手順の連続する工程を示す。
【図３】本発明により得られた２つの映像であって、２つの異なる時点での電子カードを示す。
【図４】本発明により得られた２つの映像であって、２つの異なる時点での電子カードを示す。
【図５】本発明により電子カードを作製する方法の連続工程を示す。
【図６】本発明により電子カードを備えた装置のアイテムを作製する方法の連続工程を示す。
【符号の説明】
【００５４】
ＣＥ１・ＣＥ２・ＣＥ３…電子構成要素、Ｐ１・Ｐ２…ポート、Ａ１・Ａ２…供給要素、Ｌ１・‥・Ｌ８…連結手段、Ｓ１‥第１ダイアグラム、Ｉ１・‥・Ｉ２…映像。
【図１】
2005135391.tif 000006
【図２】
2005135391.tif 000007
【図３】
2005135391.tif 000008
【図４】
2005135391.tif 000009
【図５】
2005135391.tif 000010
【図６】
2005135391.tif 000011